(57)【要約】      （修正有）【課題】シャフトが長く、その外径が細い場合において、使用時に大きな外力が加わった場合であってもシャフトの曲がりや折れを防ぐことができる耐久性に優れた清掃用又は塗装用ローラを提供する。【解決手段】清掃用又は塗装用ローラ１０は、回転自在に軸支されたローラ１と、ローラ１を一端側で軸支するシャフト４と、シャフト４の他端側を接続固定するグリップ５とを有している。また、シャフト４は、周長が略均一であって、軸方向に沿って一部の周面が補強体６で覆われている。そして、補強体６の周長はグリップ５の周長よりも小さくなるように成形されている。【選択図】図１
0003226893.tif 000002
【実用新案登録請求の範囲】
【請求項１】
回転自在に軸支されたローラと、
前記ローラを一端側で軸支するシャフトと、
前記シャフトの他端側を接続固定するグリップと、を有し、
前記シャフトは、周長が略均一であって、軸方向に沿って一部の周面が補強体で覆われていると共に、該補強体の周長は前記グリップの周長よりも小であることを特徴とする清掃用又は塗装用ローラ。
【請求項２】
補強体の断面形状は角部を有することを特徴とする請求項１に記載の清掃用又は塗装用ローラ。
【請求項３】
補強体の周長はグリップの周長の１／２以下であることを特徴とする請求項１又は２に記載の清掃用又は塗装用ローラ。
【請求項４】
シャフトは、グリップに接続される直線部と、ローラを軸支する屈曲部とからなり、補強体は、前記シャフトの直線部の略中央に位置していることを特徴とする請求項１〜３のいずれか１項に記載の清掃用又は塗装用ローラ。
【請求項５】
補強体の先端は、シャフトの直線部における略中央に位置し、前記補強体の後端は、グリップ側に位置していることを特徴とする請求項４に記載の清掃用又は塗装用ローラ。
【請求項６】
補強体の長手方向の長さは、グリップの長手方向の長さより長いことを特徴とする請求項１〜５のいずれか１項に記載の清掃用又は塗装用ローラ。
【請求項７】
補強体とグリップとは別体であることを特徴とする請求項１〜６のいずれか１項に記載の清掃用又は塗装用ローラ。
【考案の詳細な説明】
【技術分野】
【０００１】
本考案は、建造物の壁面等の清掃又は塗装する際に使用する清掃用又は塗装用ローラに関するものである。
【背景技術】
【０００２】
従来から、建造物の壁面等を塗装等する際に使用する塗装用ローラとして、回転自在に軸支されたローラと、このローラを一端側で軸支するシャフトと、このシャフトの他端側を接続固定するグリップとを有するものが知られている（特許文献１）。
【先行技術文献】
【特許文献】
【０００３】
【特許文献１】特許第６１９２３６８号公報
【考案の概要】
【考案が解決しようとする課題】
【０００４】
上記特許文献１に記載の塗装用ローラは、塗装用ローラを構成するシャフトの外径が太く、長さが短い場合には変形することは少ないが、ローラが小径の場合にはシャフトの外径は細くなると共に、被塗装面が外壁等の高い場所を塗装するためにはシャフトを長くする必要があることから、シャフトが長くてその外径が細い塗装用ローラでは、使用時に大きな外力が加わることによってシャフトの中央部分が曲がる可能性や、シャフトとグリップとの接合部分が折れる可能性があるという課題を有していた。
【０００５】
本考案は、上記従来の課題を解決するためのものであり、シャフトが長く、その外径が細い場合において、使用時に大きな外力が加わった場合であってもシャフトの曲がりや折れを防ぐことができる耐久性に優れた清掃用又は塗装用ローラを提供することを目的とする。
【課題を解決するための手段】
【０００６】
請求項１の清掃用又は塗装用ローラの考案は、回転自在に軸支されたローラと、前記ローラを一端側で軸支するシャフトと、前記シャフトの他端側を接続固定するグリップと、を有し、前記シャフトは、周長が略均一であって、軸方向に沿って一部の周面が補強体で覆われていると共に、該補強体の周長は前記グリップの周長よりも小であることを特徴としている。
【０００７】
請求項１の清掃用又は塗装用ローラの考案は、シャフトの軸方向に沿って一部の周面が補強体で覆われていることから使用時に大きな外力が加わった場合であってもシャフトの曲がりや折れを防ぐことができる。また、補強体の周長をグリップの周長よりも小さくしたことにより、補強体が無くてグリップを長くした場合と比較して軽量化を図ることができると共に、使用時の操作性を高めることができる。
【０００８】
請求項２の考案は、請求項１の考案において、補強体の断面形状は角部を有することを特徴としている。したがって、補強体の強度を高めることができ、シャフトが曲がるのを防ぐことができる。
【０００９】
請求項３の考案は、請求項１又は２の考案において、補強体の周長はグリップの周長の１／２以下であることを特徴としている。したがって、清掃用又は塗装用ローラを軽量化することができると共に、使用時の操作性を高めることができる。
【００１０】
請求項４の考案は、請求項１〜３のいずれかの考案において、シャフトは、グリップに接続される直線部と、ローラを軸支する屈曲部とからなり、補強体は、前記シャフトの直線部の略中央に位置していることを特徴としている。清掃用又は塗装用ローラの使用時には、ローラが被清掃面又は被塗装面を押さえつける方向に力が加わることから、シャフトの直線部は被清掃面又は被塗装面側にたわむこととなる。したがって、補強体をシャフトの直線部の略中央に位置させることによって、シャフトの撓みを抑制させることができ、シャフトが曲がるのを防ぐことができる。
【００１１】
請求項５の考案は、請求項４の考案において、補強体の先端は、シャフトの直線部における略中央に位置し、前記補強体の後端は、グリップ側に位置していることを特徴としている。これにより、シャフトの直線部の略中央からグリップ側までの撓みを抑制させることができ、この部分のシャフトの曲がりを防ぐことができる。
【００１２】
請求項６の考案は、請求項１〜５のいずれかの考案において、補強体の長手方向の長さは、グリップの長手方向の長さより長いことを特徴としている。したがって、シャフトの撓みを抑制してシャフトが曲がるのを防ぐと共に、清掃用又は塗装用ローラの軽量化と、使用時の操作性を高めることを両立させることができる。
【００１３】
請求項７の考案は、請求項１〜６のいずれかの考案において、補強体とグリップとは別体であることを特徴としている。したがって、補強体の後端をグリップの内部に嵌め込むことができ、シャフトとグリップとの接合部分での折れを防ぐことができる。
【考案の効果】
【００１４】
請求項１の考案は、シャフトの曲がりや折れを防ぐことができると共に、清掃用又は塗装用ローラの軽量化と使用時の操作性を高めることができる。また、請求項２の考案は、補強体の強度を高めることができ、シャフトが曲がるのを防ぐことができる。また、請求項３の考案は、清掃用又は塗装用ローラの軽量化と使用時の操作性を高めることができる。
【００１５】
請求項４及び５の考案は、シャフトの撓みを抑制させることができ、シャフトが曲がるのを防ぐことができる。また、請求項６の考案は、シャフトの撓みを抑制してシャフトが曲がるのを防ぐと共に、清掃用又は塗装用ローラの軽量化と、使用時の操作性を高めることを両立させることができる。また、請求項７の考案は、シャフトとグリップとの接合部分での折れを防ぐことができる。
【図面の簡単な説明】
【００１６】
【図１】本考案に係る清掃用又は塗装用ローラを示す斜視図
【図２】本考案に係る清掃用又は塗装用ローラの軸受構造を示す分解斜視図
【図３】本考案に係る清掃用又は塗装用ローラを示す正面図
【図４】本考案に係る清掃用又は塗装用ローラを構成する補強体とグリップの周長の関係を示す断面図
【考案を実施するための形態】
【００１７】
以下、本考案の実施形態について、図面を参照しながら説明する。図１は、本考案に係る清掃用又は塗装用ローラを示す斜視図である。この図を用いて本考案に係る清掃用又は塗装用ローラの概要について以下に説明する。
【００１８】
本考案に係る清掃用又は塗装用ローラ１０は、回転自在に軸支されたローラ１と、ローラ１を一端側で軸支するシャフト４と、シャフト４の他端側を接続固定するグリップ５とを有している。また、シャフト４は、周長が略均一であって、軸方向に沿って一部の周面が補強体６で覆われている。そして、補強体６の周長はグリップ５の周長よりも小さくなるように成形されている。上記構成により、シャフト４が長く、その外径が細い場合において、使用時に大きな外力が加わった場合であってもシャフト４の曲がりや折れを防ぐことができる耐久性に優れた清掃用又は塗装用ローラ１０となっている。
【００１９】
シャフト４は、金属製であって、ローラ１を軸支する支持軸１４を有する屈曲部４ａと、グリップ５に接続される直線部４ｂとから構成されており、外径が３ｍｍで形成されている。ここで、シャフト４は一般的な塗装用ローラのシャフト外径（６ｍｍ）よりも細く設計されており、これはローラ外径が３０ｍｍ〜４０ｍｍの比較的小さなローラを装着するために設計されたものである。近年、塗装面は凹凸が多く、一度に塗装する面積が少ないことから、ローラ外径を小さくし操作性を向上させると共に、シャフト長さを長くすることで高所の塗装を可能とした塗装用ローラが開発されている。
【００２０】
また、補強体６は、樹脂で成形されており、シャフト４にインサート成形で組付けられている。補強体６は、その断面形状に角部を有するように形成されており、これにより、補強体６の強度を高めることができ、シャフト４が曲がるのを防ぐことができる。尚、本実施形態は６つの角部からなる六角断面形状であるが、１つ以上の角部を有すれば、補強体の強度を高めることができるため、シャフトの曲がる方向にのみ角部を設けた断面形状や、全体のデザインに合わせて複数の角部を設けた断面形状など、様々な断面形状が想定され、本考案に含まれる。
【００２１】
グリップ５は、樹脂で成形されているが、補強体６とは別体となっており、補強体６の後端をグリップ５の内部に嵌め込むことにより固定している。よって、シャフト４が曲がる際に補強体６とグリップ５の接合部分に応力集中が生じにくく、折れを防ぐことができる。尚、補強体６が損傷した場合はグリップ５を取り外し、補強体６を交換することができるため、清掃用又は塗装用ローラ全体を交換する必要はなく、コストを抑えることができる。また、グリップ５の先端には、複数の突起５ａ、５ａが形成されており、隣り合う突起５ａ、５ａ間に凹部５ｂが形成されている。そして、凹部５ｂを利用して清掃用又は塗装用ローラ１０をペール缶やかご等に立て掛けることができるようにしている。尚、グリップ５の表面には、手のひらで握り易いように緩やかな凹凸（図示せず）が形成されている。
【００２２】
図２は、清掃用又は塗装用ローラ１０の軸受構造を示す分解斜視図である。この図に示すように、軸受構造は、ローラ１を固定するための固定部２ａを外周に有すると共に、長手方向に挿通孔２ｂを有する円筒状の外筒部材２と、長手方向にスリット３ａと、貫通孔３ｂとを有する固定筒部材３とから構成されている。
【００２３】
そして、外筒部材２は、半円筒状の蓋部２１と、半円筒状の本体部２２とを有し、本体部２２と蓋部２１との間は、連結部２３によって開閉可能に一体的に結合される構造となっている。また、蓋部２１を本体部２２に閉じた状態で、挿通孔２ｂを長手方向に有すると共に、挿通孔２ｂの中間部に、挿通孔２ｂよりも大径であって固定筒部材３を収容可能な収容孔２４が設けられている。
【００２４】
そして、シャフト４の屈曲部４ａの先端側に形成されている支持軸１４を、外筒部材２の挿通孔２ｂと固定筒部材３の貫通孔３ｂの両方に挿通させて、固定筒部材３を支持軸１４に固定して収容孔２４に収容すると、外筒部材２は、支持軸１４に回動自在となり、外筒部材２の固定部２ａに固定されるローラ１は、シャフト４に対して回動可能な状態となる。
【００２５】
尚、ローラ１は内筒部材１１に、刷毛部材１２が植設された構造を有するものであり、内筒部材１１の内壁１１ａに外筒部材２の固定部２ａが当接して挿嵌される構造となっている。刷毛部材１２は、パイル生地、合成繊維製織物、スポンジ、毛足の長い皮革等各種のものを使用することができる。
【００２６】
図３は、本考案に係る清掃用又は塗装用ローラを示す正面図であり、図４は、本考案に係る清掃用又は塗装用ローラを構成する補強体とグリップの周長の関係を示す断面図である。これらの図を用いて本考案に係る清掃用又は塗装用ローラの詳細について以下に説明する。
【００２７】
補強体６は、シャフト４の直線部４ｂの略中央に位置させている。尚、図３に示すように補強体６の先端がシャフト４の直線部４ｂの略中央に位置させる場合（Ａ＝Ｂ）に限らず、補強体６の中央部分がシャフト４の直線部４ｂの略中央に位置させる場合も含まれる。清掃用又は塗装用ローラ１０の使用時には、ローラ１が被清掃面又は被塗装面を押さえつける方向に力が加わることから、シャフト４の直線部４ｂは被清掃面又は被塗装面側にたわむこととなるが、補強体６をシャフト４の直線部４ｂの略中央に位置させることによって、シャフト４の撓みを抑制させることができ、シャフト４が曲がるのを防ぐことができる。
【００２８】
また、図３に示すように、補強体６の先端をシャフト４の直線部４ｂにおける略中央に位置させ、補強体６の後端をグリップ５側に位置させることにより、シャフト４の直線部４ｂの略中央からグリップ５側までの撓みを抑制させることができ、この部分のシャフト４の曲がりを防ぐことができる。尚、清掃用又は塗装用ローラ１０の使用時には
【００２９】
また、図３に示すように、補強体６の長手方向の長さは、グリップ５の長手方向の長さよりも長くなる（Ｘ＞Ｙ）ようにしている。これにより、シャフト４の撓みを抑制してシャフト４が曲がるのを防ぐと共に、清掃用又は塗装用ローラ１０の軽量化と、使用時の操作性を高めることを両立させることができる。
【００３０】
また、図４に示すように、補強体６の周長６ａはグリップ５の周長５ｃよりも小さくなるように成形されており、補強体６の周長６ａをグリップ５の周長５ｃの１／２以下とするのが好ましい。これにより、清掃用又は塗装用ローラ１０を軽量化することができると共に、使用時の操作性を高めることができる。
【産業上の利用可能性】
【００３１】
本考案の清掃用又は塗装用ローラは、建造物の壁面等の清掃又は塗装する際に使用される。
【符号の説明】
【００３２】
１  ローラ
２  外筒部材
２ａ  固定部
２ｂ  挿通孔
３  固定筒部材
３ａ  スリット
３ｂ  貫通孔
４  シャフト
４ａ  屈曲部
４ｂ  直線部
５  グリップ
５ａ  突起
５ｂ  凹部
５ｃ、６ａ  周長
６  補強体
１０  清掃用又は塗装用ローラ
１１  内筒部材
１１ａ  内壁
１２  刷毛部材
１４  支持軸
２１  蓋部
２２  本体部
２３  連結部
２４  収容孔
【図１】
0003226893.tif 000003
【図２】
0003226893.tif 000004
【図３】
0003226893.tif 000005
【図４】
0003226893.tif 000006